(57)【要約】【課題】忘れ物を効果的に防止する。【解決手段】無線通信を行う第１無線通信装置と、それぞれが第１無線通信装置と無線通信を行う複数の第２無線通信装置とを備えた無線通信システムであって、複数の第２無線通信装置のそれぞれは、当該第２無線通信装置を識別する識別情報を、第１無線通信装置に発信する発信部を有し、第１無線通信装置は、複数の第２無線通信装置のうち、第１無線通信装置と通信するべき少なくとも一の第２無線通信装置の識別情報を格納する装置識別情報格納部と、当該第１無線通信装置と通信している第２無線通信装置から取得した識別情報が、装置識別情報格納部に格納されている識別情報と一致するかを判断する識別情報一致性判断部と、識別情報一致性判断部により識別情報が一致しないと判断された場合に、当該第１無線通信装置の通信対象が、通信するべき装置とは異なる旨の情報を出力する出力部とを有する無線通信システムを提供する。【選択図】  図１
2004349969.tif 000002
【特許請求の範囲】
【請求項１】
無線通信を行う第１無線通信装置と、それぞれが前記第１無線通信装置と無線通信を行う複数の第２無線通信装置とを備えた無線通信システムであって、
前記複数の第２無線通信装置のそれぞれは、
当該第２無線通信装置を識別する装置識別情報を、前記第１無線通信装置に対して発信する発信部を有し、
前記第１無線通信装置は、
前記複数の第２無線通信装置のうち、当該第１無線通信装置と通信するべき少なくとも一の第２無線通信装置の装置識別情報を格納する装置識別情報格納部と、
当該第１無線通信装置と通信している第２無線通信装置から取得した装置識別情報の組合せが、前記装置識別情報格納部に格納されている装置識別情報の組合せと一致するか否かを判断する識別情報一致性判断部と、
前記識別情報一致性判断部により装置識別情報が一致しないと判断された場合に、当該第１無線通信装置の通信対象が、通信するべき装置の組合せとは異なる旨の情報を出力する出力部と
を有する無線通信システム。
【請求項２】
前記第１無線通信装置は、
前記第２無線通信装置のそれぞれが、当該第１無線通信装置に対して何れの方向から近接したかを示す近接方向を検出する近接方向検出部を更に備え、
前記装置識別情報格納部は、前記第１無線通信装置に近接することにより通信するべき第２無線通信装置を識別する装置識別情報を、前記近接方向毎に格納し、
前記識別情報一致性判断部は、当該第１無線通信装置に近接して通信を開始した第２無線通信装置から取得した装置識別情報の組合せが、前記近接方向検出部により検出された近接方向に対応付けられた装置識別情報の組合せと一致するか否かを判断する
請求項１記載の無線通信システム。
【請求項３】
無線通信を行う第１無線通信装置と、それぞれが前記第１無線通信装置と無線通信を行う複数の第２無線通信装置とを備えた無線通信システムとして、コンピュータを機能させるプログラムであって、
前記複数の第２無線通信装置のそれぞれにおいて、
前記コンピュータを、
当該第２無線通信装置を識別する装置識別情報を、前記第１無線通信装置に対して発信させる発信部として機能させ、
前記第１無線通信装置において、
前記コンピュータを、
前記複数の第２無線通信装置のうち、当該第１無線通信装置と通信するべき少なくとも一の第２無線通信装置の装置識別情報を格納する装置識別情報格納部と、
当該第１無線通信装置と通信している第２無線通信装置から取得した装置識別情報の組合せが、前記装置識別情報格納部に格納されている装置識別情報の組合せと一致するか否かを判断する識別情報一致性判断部と、
前記識別情報一致性判断部により装置識別情報が一致しないと判断された場合に、当該第１無線通信装置の通信対象が、通信するべき装置の組合せとは異なる旨の情報を出力する出力部と
して機能させるプログラム。
【発明の詳細な説明】
【０００１】
【発明の属する技術分野】
本発明は、無線通信システム及びプログラムに関する。特に本発明は、携行品の置き忘れを検出する無線通信システム及びプログラムに関する。
【０００２】
【従来の技術】
従来、携帯品及び携帯品を保持する携帯者の双方に、無線通信機を設けておき、これらの無線通信機が互いに通信不能になった場合に警報を発するシステムが提案されている（特許文献１参照。）。これにより、携帯者は、携帯品を置き忘れそうな場合に警報を受けることができ、忘れ物を防止することができる。
【０００３】
【特許文献１】
特許第３０５１７３０号明細書
【０００４】
【発明が解決しようとする課題】
しかしながら、上記システムにおいて、携帯者は、無線通信機を携帯しなければならず、不便である。更に、携帯者の状況によって、例えば、携帯者の所在位置や移動方向に応じて、処理を切り替えることができず、不便である。
そこで本発明は、上記の課題を解決することのできる無線通信システム及びプログラムを提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、無線通信を行う第１無線通信装置と、それぞれが第１無線通信装置と無線通信を行う複数の第２無線通信装置とを備えた無線通信システムであって、複数の第２無線通信装置のそれぞれは、当該第２無線通信装置を識別する装置識別情報を、第１無線通信装置に対して発信する発信部を有し、第１無線通信装置は、複数の第２無線通信装置のうち、当該第１無線通信装置と通信するべき少なくとも一の第２無線通信装置の装置識別情報を格納する装置識別情報格納部と、当該第１無線通信装置と通信している第２無線通信装置から取得した装置識別情報の組合せが、装置識別情報格納部に格納されている装置識別情報の組合せと一致するか否かを判断する識別情報一致性判断部と、識別情報一致性判断部により装置識別情報が一致しないと判断された場合に、当該第１無線通信装置の通信対象が、通信するべき装置の組合せとは異なる旨の情報を出力する出力部とを有する無線通信システムを提供する。
また、第１無線通信装置は、第２無線通信装置のそれぞれが、当該第１無線通信装置に対して何れの方向から近接したかを示す近接方向を検出する近接方向検出部を更に備え、装置識別情報格納部は、第１無線通信装置に近接することにより通信するべき第２無線通信装置を識別する装置識別情報を、近接方向毎に格納し、識別情報一致性判断部は、当該第１無線通信装置に近接して通信を開始した第２無線通信装置から取得した装置識別情報の組合せが、近接方向検出部により検出された近接方向に対応付けられた装置識別情報の組合せと一致するか否かを判断してもよい。
【０００６】
また、装置識別情報格納部は、当該第１無線通信装置と通信するべき第２無線通信装置の装置識別情報の組合せを複数格納し、第１無線通信装置は、装置識別情報格納部に格納された複数の装置識別情報の組合せのうち、一の組合せを、当該第１無線通信装置と通信している第２無線通信装置の組合せに基づき選択する装置識別情報選択部を更に備え、識別情報一致性判断部は、当該第１無線通信装置と通信している第２無線通信装置の組合せが、装置識別情報選択部により選択された一の組合せと一致するか否かを判断してもよい。
また、識別情報一致性判断部は、第１無線通信装置と通信している第２無線通信装置から取得した装置識別情報が、装置識別情報格納部に格納されている装置識別情報の組合せと比較して不足するか否かを判断し、出力部は、識別情報一致性判断部により、第２無線通信装置から取得した装置識別情報が、装置識別情報格納部に格納されている装置識別情報と比較して不足すると判断された場合に、当該第１無線通信装置の通信対象が、通信するべき装置の組合せと比較して不足している旨の情報を出力してもよい。
【０００７】
本発明の第２の形態によると、無線通信を行う第１無線通信装置と、それぞれが第１無線通信装置と無線通信を行う複数の第２無線通信装置とを備えた無線通信システムとして、コンピュータを機能させるプログラムであって、複数の第２無線通信装置のそれぞれにおいて、コンピュータを、当該第２無線通信装置を識別する装置識別情報を、第１無線通信装置に対して発信させる発信部として機能させ、第１無線通信装置において、コンピュータを、複数の第２無線通信装置のうち、当該第１無線通信装置と通信するべき少なくとも一の第２無線通信装置の装置識別情報を格納する装置識別情報格納部と、当該第１無線通信装置と通信している第２無線通信装置から取得した装置識別情報の組合せが、装置識別情報格納部に格納されている装置識別情報の組合せと一致するか否かを判断する識別情報一致性判断部と、識別情報一致性判断部により装置識別情報が一致しないと判断された場合に、当該第１無線通信装置の通信対象が、通信するべき装置の組合せとは異なる旨の情報を出力する出力部として機能させるプログラムを提供する。
本発明の第３の形態によると、通信対象である複数の通信対象装置のそれぞれと無線通信する無線通信装置であって、複数の通信対象装置のそれぞれは、当該通信対象装置を識別する装置識別情報を当該無線通信装置に対して送信し、複数の通信対象装置のうち、少なくとも一の通信対象装置の装置識別情報を格納する装置識別情報格納部と、当該無線通信装置と通信している通信対象装置から取得した装置識別情報の組合せが、装置識別情報格納部に格納されている装置識別情報の組合せと一致するか否かを判断する識別情報一致性判断部と、識別情報一致性判断部により装置識別情報が一致しないと判断された場合に、当該無線通信装置の通信対象が、通信するべき装置の組合せとは異なる旨の情報を出力する出力部とを有する無線通信装置を提供する。
なお上記の発明の概要は、本発明の必要な特徴の全てを列挙したものではなく、これらの特徴群のサブコンビネーションも又発明となりうる。
【０００８】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【０００９】
図１は、無線通信システムの一例である忘れ物防止システム１０の機能ブロック図を示す。忘れ物防止システム１０は、部屋の出入り口等に設けられ、当該出入り口を通過する者等の携行品を検出することにより、携行品の置き忘れの有無等を出力する装置である。忘れ物防止システム１０は、無線通信を行う第１無線通信装置の一例である忘れ物防止装置３０と、それぞれが忘れ物防止装置３０と無線通信を行う第２無線通信装置の一例である子機２０−１〜Ｎとを備える。子機２０−１は、例えば、ＩＣカード又はＩＣタグであり、携行品等に貼付される。そして、子機２０−１は、当該子機２０−１を識別する装置識別情報を、忘れ物防止装置３０に対して送信する発信部２２−１を有する。子機２０−２〜Ｎのそれぞれは、子機２０−１とは異なる携行品に貼付される他は、子機２０−１と略同一であるので説明を省略する。
【００１０】
忘れ物防止装置３０は、アンテナ部３１０Ａと、アンテナ部３１０Ｂと、近接方向検出部３２０と、装置識別情報格納部３３０と、装置識別情報選択部３４０と、識別情報一致性判断部３５０と、出力部３６０とを有する。アンテナ部３１０Ａは、子機２０−１〜Ｎのそれぞれから装置識別情報を受信し、アンテナ部３１０Ａを識別する情報に対応付けて近接方向検出部３２０に送る。同様に、アンテナ部３１０Ｂは、子機２０−１〜Ｎのそれぞれから装置識別情報を受信し、アンテナ部３１０Ｂを識別する情報に対応付けて近接方向検出部３２０に送る。また、忘れ物防止装置３０は、アンテナ部３１０Ａと略同一のアンテナ部を更に備えてもよい。即ち、忘れ物防止装置３０が備えるアンテナ部の数は２に限定されない。
【００１１】
近接方向検出部３２０は、アンテナ部３１０Ａ及び近接方向検出部３２０Ｂのそれぞれから、アンテナ部３１０Ａ及び近接方向検出部３２０Ｂの何れかを識別する情報に対応付けて、装置識別情報を受け取り、装置識別情報選択部３４０に送る。また、近接方向検出部３２０は、受け取った装置識別情報に基づいて、子機２０−１〜Ｎのそれぞれが、忘れ物防止装置３０に対して何れの方向から近接したかを示す近接方向を検出し、装置識別情報選択部３４０に送る。例えば、近接方向検出部３２０は、アンテナ部３１０Ａのみが取得していた装置識別情報が、近接方向検出部３２０Ｂにおいても更に取得されるようになった場合には、当該装置識別情報を有する子機が、アンテナ部３１０Ａの設置位置の方向から忘れ物防止装置３０に近接したと判断する。これに代えて、近接方向検出部３２０は、光又は音を検知するセンサーを用いて近接方向を検出してもよいし、接触又は押下を検出するスイッチを用いて近接方向を検出してもよい。
【００１２】
装置識別情報格納部３３０は、子機２０−１〜Ｎのうち、忘れ物防止装置３０と通信するべき少なくとも一の子機２０の装置識別情報を格納しており、装置識別情報選択部３４０からの指示に応じて装置識別情報選択部３４０に出力する。具体的には、装置識別情報格納部３３０は、装置識別情報を、近接方向に対応付けて格納しており、装置識別情報選択部３４０からの指示が示す近接方向に対応した装置識別情報を装置識別情報選択部３４０に出力する。また、装置識別情報格納部３３０は、識別情報一致性判断部３５０からの指示又は外部からの入力操作により、新たに装置識別情報を格納してもよいし、格納している装置識別情報を変更してもよい。装置識別情報選択部３４０は、近接方向検出部３２０から受け取った近接方向及び装置識別情報に基づいて、装置識別情報格納部３３０に格納されている装置識別情報の中から、識別情報一致性判断部３５０による判断に用いられる装置識別情報を選択し、識別情報一致性判断部３５０に送る。
【００１３】
識別情報一致性判断部３５０は、忘れ物防止装置３０に近接して通信を開始した子機２０−１から取得した装置識別情報の組合せが、近接方向検出部３２０に格納され装置識別情報選択部３４０により選択された装置識別情報の組合せと一致するか否かを判断し、判断結果を出力部３６０に送る。これを受けて、出力部３６０は、識別情報一致性判断部３５０により装置識別情報が一致しないと判断された場合に、忘れ物防止装置３０の通信対象が、通信するべき装置の組合せとは異なる旨の情報を外部に出力する。例えば、出力部３６０は、ブザーによる音声の出力、ＬＥＤの点灯、及び忘れ物防止装置３０の振動により、この情報を外部に出力する。
【００１４】
このように、忘れ物防止装置３０は、部屋の出入り口を通過する者が、その者が携行するべき物とは異なる携行品を携行した場合に、その旨を外部に通知することができる。
【００１５】
図２は、装置識別情報格納部３３０のデータ構造の一例を示す。装置識別情報格納部３３０は、子機２０−１〜Ｎのそれぞれの装置識別情報を格納する装置識別情報格納フィールドと、子機２０−１〜Ｎのそれぞれが貼付される携行品の物品名を格納する物品名フィールドと、忘れ物防止装置３０と通信するべき子機２０の組合せを示す情報を格納するグループ１からグループｍフィールドとを含む。
【００１６】
例えば、子機２０−１は、ハンカチに貼付されており、子機２０−１における発信部２２−１は、忘れ物防止装置３０に対して、装置識別情報であるＡを送信する。また、グループ１からグループｍフィールドのそれぞれにおいて、○印は、当該グループに子機２０が所属していることを示す所属情報であり、×印は、当該グループに子機２０が所属していないことを示す非所属情報である。例えば、装置識別情報格納部３３０は、子機２０−１から４の組合せを、グループ１として、子機２０−２から３の組合せを、グループ２として、子機２０−１、子機２０−２、子機２０−５、及び子機２０−６の組合せを、グループ３としてそれぞれ格納している。このように、装置識別情報格納部３３０は、忘れ物防止装置３０と通信するべき装置識別情報の組合せを、所属情報又は非所属情報を用いて、複数格納している。
【００１７】
なお、装置識別情報格納部３３０は、グループフィールドにおいて、所属情報又は非所属情報の他に、子機２０が特定のグループに独占的に属することを示す独占所有情報を格納してもよいし、識別情報一致性判断部３５０により識別情報の一致が判断されないことを示す判断無視指示情報を格納してもよい。また、本図において、子機２０−１〜Ｎは、互いに異なる装置識別情報に対応付けられているが、これに代えて、複数の子機２０が、同一の装置識別情報に対応付けられていてもよい。
【００１８】
図３は、忘れ物防止システム１０のフローチャートを示す。忘れ物防止装置３０は、装置識別情報を子機２０−１〜Ｎのそれぞれから取得する（Ｓ３００）。例えば、忘れ物防止装置３０は、当該忘れ物防止装置３０の通信圏内に子機２０−１〜Ｎの何れかが存在する場合に、当該通信圏内において忘れ物防止装置３０と通信する子機２０から、装置識別情報を取得する。通信圏内とは、例えば、忘れ物防止装置３０から予め定められた距離以内にある空間であるが、他の例としては、忘れ物防止装置３０あるいは子機２０−１〜Ｎのそれぞれに設けられた通信機に定められた仕様に応じて通信可能な範囲であってもよい。
【００１９】
近接方向検出部３２０は、子機２０−１〜Ｎのそれぞれが、忘れ物防止装置３０に対して何れの方向から近接したかを示す近接方向を検出する（Ｓ３１０）。そして、装置識別情報選択部３４０は、装置識別情報格納部３３０に格納された複数の装置識別情報のうち一の組合せ、即ちグループを、忘れ物防止装置３０と通信している子機２０の組合せに基づき選択する（Ｓ３２０）。一例としては、装置識別情報選択部３４０は、忘れ物防止装置３０と通信している子機２０の組合せに最も類似した組合せのグループを選択する。そして、識別情報一致性判断部３５０及び出力部３６０は、選択したグループに所属する装置識別情報の組合せが、アンテナ部３１０Ａ及びＢにおいて取得された装置識別情報の組合せと一致したか否かを判断し、判断結果を出力する（Ｓ３３０）。
【００２０】
図４は、図３のＳ３１０におけるフローチャートを示す。近接方向検出部３２０は、アンテナ部３１０Ａの通信圏内に近接した子機２０−１〜Ｎから、装置識別情報を取得する（Ｓ４００）。そして、近接方向検出部３２０は、アンテナ部３１０Ｂの通信圏内に近接した子機２０−１〜Ｎから、装置識別情報を取得する（Ｓ４１０）。そして、近接方向検出部３２０は、アンテナ部３１０Ａ及びアンテナ部３１０Ｂの双方において、同一の装置識別情報を取得していない場合に（Ｓ４２０：ＮＯ）、Ｓ４００に処理を戻す。なお、この場合、好ましくは、忘れ物防止装置３０は、アンテナ部３１０Ａ及びアンテナ部３１０Ｂのそれぞれにおいて検出された装置識別情報を、後の処理のために、メモリ等に保存しておく。
【００２１】
一方、近接方向検出部３２０は、アンテナ部３１０Ａ及びアンテナ部３１０Ｂの双方において、同一の装置識別情報を取得した場合に（Ｓ４２０：ＹＥＳ）、当該装置識別情報を先に取得したのはアンテナ部３１０Ａであるか否かを判断する（Ｓ４３０）。この判断は、例えば、Ｓ４２０において保存された、取得した装置識別情報の履歴を用いることで実現できる。装置識別情報を先に取得したのがアンテナ部３１０Ａである場合に（Ｓ４３０：ＹＥＳ）、近接方向検出部３２０は、当該装置識別情報を有する子機２０が、アンテナ部３１０Ａが設けられた方向から近接した旨を検出する（Ｓ４４０）。一方、装置識別情報を先に取得したのがアンテナ部３１０Ａでない場合に（Ｓ４３０：ＮＯ）、近接方向検出部３２０は、当該装置識別情報を有する子機２０が、アンテナ部３１０Ｂが設けられた方向から近接した旨を検出する（Ｓ４５０）。
【００２２】
このように、近接方向検出部３２０は、アンテナ部３１０Ａ及びアンテナ部３１０Ｂのそれぞれにおいて検出された装置識別情報を解析することにより、子機２０が何れの方向から近接したかを示す近接方向を検出することができる。これにより、忘れ物防止装置３０が、例えば、住宅の出入り口に設置している場合に、近接方向検出部３２０は、携行品を保持して移動する者が、住宅から外出するべく移動しているのか又は住宅に帰宅するべく移動しているのかを区別して検出することができる。
【００２３】
なお、近接方向検出部３２０は、Ｓ４３０において、装置識別情報を後に取得したのがアンテナ部３１０Ａであるか否かを判断してもよい。この場合、近接方向検出部３２０は、Ｓ４４０の処理に代えてＳ４５０の処理を、Ｓ４５０の処理に代えてＳ４４０の処理をそれぞれ行う。
【００２４】
図５は、図３のＳ３２０におけるフローチャートを示す。装置識別情報選択部３４０は、装置識別情報格納部３３０に格納されている各グループにカウンタを対応付け（Ｓ５００）、これらのカウンタを初期化（例えば、０を代入）する（Ｓ５１０）。そして、装置識別情報選択部３４０は、近接方向検出部３２０が取得した装置識別情報が属するグループのぞれぞれにおけるカウンタを増加する（Ｓ５２０）。装置識別情報選択部３４０は、近接方向検出部３２０が取得した全ての装置識別情報について処理を終了していない場合に（Ｓ５３０：ＮＯ）、Ｓ５２０に処理を戻す。一方、近接方向検出部３２０が取得した全ての装置識別情報について処理を終了した場合に（Ｓ５３０：ＹＥＳ）、装置識別情報選択部３４０は、カウンタ値が最も大きいグループを選択し、当該グループに属する装置識別情報を、識別情報一致性判断部３５０による判断の対象となる装置識別情報の組合せとして選択する（Ｓ５４０）。
【００２５】
本図の例において、装置識別情報選択部３４０は、例えば、装置識別情報が取得される毎に、装置識別情報が属するグループのカウンタを１増加する。これに代えて、装置識別情報格納部３３０は、装置識別情報選択部３４０によりカウンタを増加するべき増分を、装置識別情報及びグループの双方に対応付けて格納しており、装置識別情報選択部３４０は、カウンタを当該増分だけ増加させてもよい。これにより、グループに特徴的な携行品の装置識別情報が取得された場合に、装置識別情報選択部３４０は、当該グループを優先して選択することができる。また、さらに他の例として、装置識別情報格納部３３０は、一のグループに属し、かつ他の何れのグループにも属さない旨を示す独占所有情報を、装置識別情報に対応付けて格納してもよい。この場合、装置識別情報選択部３４０は、当該独占所有情報に対応付けられた装置識別情報を取得した場合には、カウンタ値に関わらず、当該独占所有情報が示すグループを選択してもよい。
【００２６】
図６は、図３のＳ３３０におけるフローチャートを示す。識別情報一致性判断部３５０は、忘れ物防止装置３０との通信圏内に近接して通信している子機２０−１〜Ｎから取得した装置識別情報が、装置識別情報格納部３３０に格納され装置識別情報選択部３４０により選択された装置識別情報と一致するか否かを判断する（Ｓ６００）。具体的には、出力部３６０は、子機２０−１〜Ｎから取得した装置識別情報が、装置識別情報選択部３４０により選択された装置識別情報と比較して不足する場合に（Ｓ６００：ＹＥＳ）、その旨を出力する（Ｓ６３０）。更に、出力部３６０は、不足している装置識別情報を、当該装置識別情報を有する子機２０の貼付された物品名と伴に、音声又は映像により出力してもよい。また、忘れ物防止装置３０が外出時の忘れ物を防止するべく住宅の出入口に設けられた場合には、出力部３６０は、当該出入り口を開閉不能に設定する等により、当該出入り口の開閉を制御してもよい。
【００２７】
続いて、識別情報一致性判断部３５０は、装置識別情報選択部３４０により選択された装置識別情報に属さない装置識別情報が、子機２０−１〜Ｎから取得された否かを判断する（Ｓ６４０）。装置識別情報選択部３４０により選択された装置識別情報に属さない装置識別情報が、子機２０−１〜Ｎから取得されていない場合に（Ｓ６４０：ＮＯ）、忘れ物防止装置３０は、処理を終了する。一方、装置識別情報選択部３４０により選択された装置識別情報に属さない装置識別情報が、子機２０−１〜Ｎから取得された場合に（Ｓ６４０：ＹＥＳ）、出力部３６０は、グループに属さない子機２０と通信している旨の情報を出力する（Ｓ６５０）。更に、出力部３６０は、グループに属さず、かつ通信を行っている子機２０の装置識別情報を、当該装置識別情報を有する子機２０の貼付された物品名と伴に、音声又は映像により出力してもよい。また、忘れ物防止装置３０が、外出時の忘れ物を防止するべく住宅の出入口に設けられた場合には、出力部３６０は、当該出入り口を開閉不能に設定する等により、当該出入り口の開閉を制御してもよい。
【００２８】
子機２０−１〜Ｎから取得した装置識別情報が、装置識別情報選択部３４０により選択された装置識別情報と比較して不足しない場合に（Ｓ６００：ＮＯ）、識別情報一致性判断部３５０は、装置識別情報選択部３４０により選択されたグループに属さない装置識別情報が、子機２０−１〜Ｎから取得された否かを判断する（Ｓ６１０）。装置識別情報選択部３４０により選択された装置識別情報に属さない装置識別情報が、子機２０−１〜Ｎから取得されていない場合に（Ｓ６１０：ＮＯ）、出力部３６０は、取得された装置識別情報が、選択したグループに属する装置識別情報の組合せに一致した旨を、出力する（Ｓ６２０）。例えば、忘れ物防止装置３０が、外出時の忘れ物を防止するべく住宅の出入口に設けられた場合には、出力部３６０は、「いってらっしゃい」等のメッセージを音声又は映像等により出力してもよい。一方、装置識別情報選択部３４０により選択された装置識別情報に属さない装置識別情報が、子機２０−１〜Ｎから取得された場合に（Ｓ６１０：ＹＥＳ）、Ｓ６５０に処理を移す。
なお、Ｓ６００と、Ｓ６１０及びＳ６４０との処理の順序は、本図の例に限定されない。即ち、識別情報一致性判断部３５０は、まず、装置識別情報選択部３４０により選択されたグループに属さない装置識別情報が、子機２０−１〜Ｎから取得された否かを判断し（Ｓ６１０）、次に、子機２０−１〜Ｎから取得した装置識別情報が、装置識別情報選択部３４０により選択された装置識別情報と比較して不足するか否かを判断（Ｓ６００）してもよい。
【００２９】
図７は、第１の変形例における忘れ物防止システム１０のフローチャートを示す。本例において、忘れ物防止装置３０は、携行品の置き忘れ等を通知するのみならず、携行されるべき携行品の組合せを必要に応じて更新する処理を行う。例えば、忘れ物防止装置３０は、住宅等の出入り口に設けられた場合、一旦住宅外に置き忘れた携行品については、再度外出時に持ち出すことはできないので、当該携行品に貼付された子機２０の装置識別情報を装置識別情報格納部３３０から除外する。
【００３０】
なお、本例における忘れ物防止システム１０の機能ブロック図は、図１で示した忘れ物防止システム１０と略同一であるので、説明を省略する。また、本図で示すＳ７００、Ｓ７１０、Ｓ７２０、及びＳ７４０は、図３で示したＳ３００、Ｓ３１０、Ｓ３２０、及びＳ３３０と略同一の処理であるので、説明を省略し、相違点を説明する。
【００３１】
近接方向検出部３２０は、検出した近接方向が、忘れ物防止装置３０が設けられた出入り口を通過して住宅等の部屋から外出する方向であるか否かを検出する（Ｓ７３０）。外出する方向である場合に（Ｓ７３０：ＹＥＳ）、識別情報一致性判断部３５０及び出力部３６０は、Ｓ７２０において選択されたグループに所属する装置識別情報の組合せが、アンテナ部３１０Ａ及びＢにおいて取得された装置識別情報の組合せと一致したか否かを判断し、判断結果を出力する（Ｓ７４０）。
【００３２】
一方、外出する方向でない場合に（Ｓ７３０：ＮＯ）、識別情報一致性判断部３５０は、グループに属する装置識別情報を変更する処理、即ち、装置識別情報格納部３３０が格納する装置識別情報の組合せを変更する処理を行う（Ｓ７５０）。
【００３３】
図８は、図７のＳ７５０におけるフローチャートを示す。識別情報一致性判断部３５０は、子機２０−１〜Ｎから取得した装置識別情報が、装置識別情報選択部３４０により選択された装置識別情報と比較して不足する場合に（Ｓ８００：ＹＥＳ）、不足する当該装置識別情報を、装置識別情報選択部３４０により選択されたグループから除外する（Ｓ８３０）。これにより、識別情報一致性判断部３５０は、忘れ物に対応する装置識別情報を、再度外出時に持ち出すべき携行品の装置識別情報から除外することができる。なお、好ましくは、出力部３６０は、グループから除外した装置識別情報及び当該装置識別情報に対応付けられた物品名を、例えば、音声又は映像により出力する。
【００３４】
続いて、識別情報一致性判断部３５０は、装置識別情報選択部３４０により選択された装置識別情報に属さない装置識別情報が、子機２０−１〜Ｎから取得された否かを判断する（Ｓ８４０）。装置識別情報選択部３４０により選択されたグループに属さない装置識別情報が、子機２０−１〜Ｎから取得されていない場合に（Ｓ８４０：ＮＯ）、忘れ物防止装置３０は、処理を終了する。一方、装置識別情報選択部３４０により選択された装置識別情報に属さない装置識別情報が、子機２０−１〜Ｎから取得された場合に（Ｓ８４０：ＹＥＳ）、識別情報一致性判断部３５０は、グループに属していなかった当該装置識別情報を、グループに追加する（Ｓ８５０）。これにより、識別情報一致性判断部３５０は、帰宅時に新たに携行した携行品の装置識別情報を、再度外出時に持ち出すべき携行品の装置識別情報として追加することができる。なお、好ましくは、出力部３６０は、グループに追加した装置識別情報及び当該装置識別情報に対応付けられた物品名を、例えば、音声又は映像により出力する。
【００３５】
子機２０−１〜Ｎから取得した装置識別情報が、装置識別情報選択部３４０により選択された装置識別情報と比較して不足しない場合に（Ｓ８００：ＮＯ）、識別情報一致性判断部３５０は、装置識別情報選択部３４０により選択された装置識別情報に属さない装置識別情報が、子機２０−１〜Ｎから取得された否かを判断する（Ｓ８１０）。装置識別情報選択部３４０により選択された装置識別情報に属さない装置識別情報が、子機２０−１〜Ｎから取得されていない場合に（Ｓ８１０：ＮＯ）、出力部３６０は、取得された装置識別情報が、選択したグループに属する装置識別情報の組合せに一致した旨を、出力する（Ｓ８２０）。例えば、出力部３６０は、「おかえりなさい」等のメッセージを音声又は映像等により出力してもよい。一方、装置識別情報選択部３４０により選択された装置識別情報に属さない装置識別情報が、子機２０−１〜Ｎから取得された場合に（Ｓ８１０：ＹＥＳ）、Ｓ８５０に処理を移す。
【００３６】
このように、忘れ物防止装置３０は、携行品の置き忘れ等を通知するのみならず、携行されるべき携行品の組合せを必要に応じて更新する処理を行うことができる。なお、子機２０−１〜Ｎから取得した装置識別情報が、装置識別情報選択部３４０により選択された装置識別情報と比較して不足するか否かの判断（Ｓ８００）より前に、装置識別情報格納部３３０は、利用者からの入力に応じて、予め装置識別情報を変更してもよい。即ち、利用者は、外出時に紛失した携行品等の情報を、Ｓ８００の判断に先だって忘れ物防止装置３０に入力してもよい。入力手段としては、マイクによる音声入力であってもよいし、キー及びボタン等による接触式デバイスであってもよい。
なお、Ｓ８００と、Ｓ８１０及びＳ８４０との処理の順序は、本図の例に限定されない。即ち、識別情報一致性判断部３５０は、まず、装置識別情報選択部３４０により選択されたグループに属さない装置識別情報が、子機２０−１〜Ｎから取得された否かを判断し（Ｓ８１０）、次に、子機２０−１〜Ｎから取得した装置識別情報が、装置識別情報選択部３４０により選択された装置識別情報と比較して不足するか否かを判断してもよい（Ｓ８００）。
【００３７】
図９は、第２の変形例における装置識別情報格納部３３０のデータ構造の一例を示す。本例に係る機能ブロック図及びフローチャートは、以上に示した実施形態と略同一であるので、説明を省略する。
【００３８】
本例における装置識別情報格納部３３０は、図２に示した近接方向検出部３２０と略同一のデータを、更に曜日に対応付けて格納している。即ち、装置識別情報選択部３４０は、忘れ物防止装置３０内に設けられた日付保持機構を用いて、子機２０と通信している曜日を解析する。そして、装置識別情報選択部３４０は、当該曜日の情報に更に基づいて、装置識別情報格納部３３０に格納された装置識別情報の中から、識別情報一致性判断部３５０における比較対象とするべき装置識別情報を選択する。
【００３９】
これにより、忘れ物防止装置３０は、曜日に応じて異なる処理を行うことができる。例えば、忘れ物防止装置３０は、学生が居住する住宅の出入り口に設けられ、学生の授業時間割に基づいて、携行するべき携行品の忘れ物があるか否かを検出することができる。例えば、忘れ物防止装置３０は、ランドセルに貼付された子機２０に基づき、児童等が携行するべき教科書、ノート、及び参考資料等に忘れ物がないか否かを、曜日毎に検出することができる。なお、本例においては、忘れ物防止装置３０は、装置識別情報を曜日に対応付けて格納しているが、これに代えて、日付及び時刻等の、時間を特定する他の情報に対応付けて、装置識別情報を格納してもよい。
【００４０】
図１０は、以上に示した実施形態又は変形例に係る忘れ物防止装置３０のハードウェア構成の一例を示す。実施形態に係る忘れ物防止装置３０は、ホストコントローラ１０８２により相互に接続されるＣＰＵ１０００、ＲＡＭ１０２０、グラフィックコントローラ１０７５、及び表示装置１０８０を有するＣＰＵ周辺部と、入出力コントローラ１０８４によりホストコントローラ１０８２に接続される通信インターフェイス１０３０、ハードディスクドライブ１０４０、及びＣＤ−ＲＯＭドライブ１０６０を有する入出力部と、入出力コントローラ１０８４に接続されるＲＯＭ１０１０、フレキシブルディスクドライブ１０５０、及び入出力チップ１０７０を有するレガシー入出力部とを備える。
【００４１】
ホストコントローラ１０８２は、ＲＡＭ１０２０と、高い転送レートでＲＡＭ１０２０をアクセスするＣＰＵ１０００及びグラフィックコントローラ１０７５とを接続する。ＣＰＵ１０００は、ＲＯＭ１０１０及びＲＡＭ１０２０に格納されたプログラムに基づいて動作し、各部の制御を行う。グラフィックコントローラ１０７５は、ＣＰＵ１０００等がＲＡＭ１０２０内に設けたフレームバッファ上に生成する画像データを取得し、表示装置１０８０上に表示させる。これに代えて、グラフィックコントローラ１０７５は、ＣＰＵ１０００等が生成する画像データを格納するフレームバッファを、内部に含んでもよい。
【００４２】
入出力コントローラ１０８４は、ホストコントローラ１０８２と、比較的高速な入出力装置である通信インターフェイス１０３０、ハードディスクドライブ１０４０、及びＣＤ−ＲＯＭドライブ１０６０を接続する。通信インターフェイス１０３０は、ネットワークを介して他の装置と通信する。また、通信インターフェイス１０３０は、アンテナ部３１０Ａ〜Ｂを介して、子機２０−１〜Ｎ等と通信する。ハードディスクドライブ１０４０は、忘れ物防止装置３０が使用するプログラム及びデータを格納する。ＣＤ−ＲＯＭドライブ１０６０は、ＣＤ−ＲＯＭ１０９５からプログラム又はデータを読み取り、ＲＡＭ１０２０を介して入出力チップ１０７０に提供する。
【００４３】
また、入出力コントローラ１０８４には、ＲＯＭ１０１０と、フレキシブルディスクドライブ１０５０、入出力チップ１０７０、及び音声入出力装置１０９０等の比較的低速な入出力装置とが接続される。ＲＯＭ１０１０は、忘れ物防止装置３０の起動時にＣＰＵ１０００が実行するブートプログラムや、忘れ物防止装置３０のハードウェアに依存するプログラム等を格納する。フレキシブルディスクドライブ１０５０は、フレキシブルディスク１０９０からプログラム又はデータを読み取り、ＲＡＭ１０２０を介して入出力チップ１０７０に提供する。入出力チップ１０７０は、フレキシブルディスク１０９０や、例えばパラレルポート、シリアルポート、キーボードポート、マウスポート等を介して各種の入出力装置を接続する。音声入出力装置１０９０は、マイク等を通じて音声を取得し、入出力コントローラ１０８４を介して、ＣＰＵ１０００において動作するプログラムに与える。また、音声入出力装置１０９０は、ＣＰＵ１０００において動作するプログラムから、出力するべき音声を取得し、スピーカー等を用いて外部に出力する。
【００４４】
忘れ物防止装置３０に提供されるプログラムは、フレキシブルディスク１０９０、ＣＤ−ＲＯＭ１０９５、又はＩＣカード等の記録媒体に格納されて利用者によって提供される。プログラムは、記録媒体から読み出され、入出力チップ１０７０を介して忘れ物防止装置３０にインストールされ、忘れ物防止装置３０において実行される。
【００４５】
忘れ物防止装置３０にインストールされて実行されるプログラムは、近接方向検出モジュールと、装置識別情報格納モジュールと、装置識別情報選択モジュールと、識別情報一致性判断モジュールと、出力モジュールとを含む。各モジュールが忘れ物防止装置３０に働きかけて行わせる動作は、図１から図９において説明した忘れ物防止装置３０における、対応する部材の動作と同一であるから、説明を省略する。
【００４６】
以上に示したプログラム又はモジュールは、外部の記憶媒体に格納されてもよい。記憶媒体としては、フレキシブルディスク１０９０、ＣＤ−ＲＯＭ１０９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムを忘れ物防止装置３０に提供してもよい。
【００４７】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００４８】
【発明の効果】
上記説明から明らかなように、本発明によれば忘れ物を効果的に防止することができる。
【図面の簡単な説明】
【図１】図１は、無線通信システムの一例である忘れ物防止システム１０の機能ブロック図を示す。
【図２】図２は、装置識別情報格納部３３０のデータ構造の一例を示す。
【図３】図３は、忘れ物防止システム１０のフローチャートを示す。
【図４】図４は、図３のＳ３１０におけるフローチャートを示す。
【図５】図５は、図３のＳ３２０におけるフローチャートを示す。
【図６】図６は、図３のＳ３３０におけるフローチャートを示す。
【図７】図７は、第１の変形例における忘れ物防止システム１０のフローチャートを示す。
【図８】図８は、図７のＳ７５０におけるフローチャートを示す。
【図９】図９は、第２の変形例における装置識別情報格納部３３０のデータ構造の一例を示す。
【図１０】図１０は、以上に示した実施形態又は変形例に係る忘れ物防止装置３０のハードウェア構成の一例を示す。
【符号の説明】
１０  忘れ物防止システム
２０  子機
２２  発信部
３０  忘れ物防止装置
３１０  アンテナ部
３２０  近接方向検出部
３３０  装置識別情報格納部
３４０  装置識別情報選択部
３５０  識別情報一致性判断部
３６０  出力部
【図１】
2004349969.tif 000003
【図２】
2004349969.tif 000004
【図３】
2004349969.tif 000005
【図４】
2004349969.tif 000006
【図５】
2004349969.tif 000007
【図６】
2004349969.tif 000008
【図７】
2004349969.tif 000009
【図８】
2004349969.tif 000010
【図９】
2004349969.tif 000011
【図１０】
2004349969.tif 000012